(57)【要約】【課題】  取り付けられている連続用紙の規定領域内に画像を収める工夫がなされた画像形成装置を提供する。【解決手段】  連続用紙の幅方向の画像形成領域を調整する領域調整手段と、連続用紙の幅寸法を測定する幅寸法センサと、連続用紙の相互に隣接するミシン目どうしの間の寸法を測定する長さ寸法センサと、幅寸法センサにより測定された連続用紙の幅寸法と前記長さ寸法センサにより測定された連続用紙の長さ寸法と調整手段により調整された幅方向の画像形成領域とに基づいて、連続用紙の規定領域内に画像が形成されるように画像データを調整するデータ調整手段とを備えた。【選択図】        図１
2005111672.tif 000002
【特許請求の範囲】
【請求項１】
幅方向のミシン目によってページが区切られた連続用紙を搬送しながら、画像データに基づく画像を該連続用紙上に形成する画像形成装置において、
前記連続用紙の幅方向の画像形成領域を調整する領域調整手段と、
前記連続用紙の幅寸法を測定する幅寸法センサと、
前記連続用紙の相互に隣接するミシン目どうしの間の寸法を測定する長さ寸法センサと、
前記幅寸法センサにより測定された前記連続用紙の幅寸法と前記長さ寸法センサにより測定された該連続用紙の長さ寸法と前記領域調整手段により調整された幅方向の画像形成領域とに基づいて、該連続用紙の規定領域内に画像が形成されるように画像データを調整するデータ調整手段とを備えたことを特徴とする画像形成装置。
【請求項２】
前記データ調整手段による調整前の画像データに基づく画像が前記連続用紙上の幅方向および長さ方向について規定領域内に形成されるか否かを判定する判定手段を備え、
前記データ調整手段は、前記判定手段による、前記データ調整手段による調整前の画像データに基づく前記連続用紙上の幅方向または長さ方向について規定領域内に画像が形成されない旨の判定結果を受けて該連続用紙の規定領域内に画像が形成されるように画像データを調整するものであることを特徴とする請求項１記載の画像形成装置。
【請求項３】
前記判定手段による、前記データ調整手段による調整前の画像データに基づく前記連続用紙上の幅方向または長さ方向について規定領域内に画像が形成されない旨の判定結果を受けて警告を出力する警告出力手段を備えたことを特徴とする請求項２記載の画像形成装置。
【発明の詳細な説明】
【技術分野】
【０００１】
本発明は、幅方向のミシン目によってページが区切られた連続用紙を搬送しながら、画像データに基づく画像をこの連続用紙上に形成する画像形成装置に関する。
【背景技術】
【０００２】
従来より、幅方向のミシン目によってページが区切られた連続用紙上に画像を形成する画像形成装置として、例えばレーザプリンタが知られている。
【０００３】
このようなレーザプリンタでは、外部のパソコンなどから画像データを受信し、受信した画像データに基づく画像形成が行なわれている。
【０００４】
また、このようなレーザープリンタの中には、操作パネルなどからの情報の入力により、画像が形成される範囲である画像形成領域の位置を水平方向（用紙幅方向）にスライド移動する画像形成領域変更機能を有しているものがあり、このような機能を備えているものでは、操作パネルなどへのこのスライド量の入力が適切でないと、画像形成が連続用紙の規定領域からはみ出して行なわれてしまい、画像が欠ける等の問題が発生していた。
【０００５】
また、ユーザが誤って、指定の連続用紙とは用紙幅の異なる連続用紙を使用してしまった場合にも、画像データはその装置における指定の連続用紙のページサイズに応じて割り当てられているため、例え画像形成領域の水平方向についての変更がなくても、画像形成が連続用紙の規定領域からはみ出して行なわれていた。
【０００６】
そこで、装置に実際に取り付けられている連続用紙の用紙幅を検出し、上記問題の解決を図ろうとする提案がなされている（例えば、特許文献１参照）。
【０００７】
上記提案の画像形成装置では、画像形成が、取り付けられている連続用紙の規定領域からはみ出して行なわれるか否かが判定され、はみ出すようであればその画像形成が規定領域内で行なわれるように画像データが処理される。
【特許文献１】特開平８−１１３８３号公報
【発明の開示】
【発明が解決しようとする課題】
【０００８】
ところで、上記提案では、連続用紙の搬送方向についての画像のはみ出しの問題については言及されていない。
【０００９】
しかし、画像のはみ出しは、ミシン目どうしの間の距離が指定の連続用紙よりも短い連続用紙を取り付けた場合に、連続用紙の搬送方向において同様に発生する問題である。
【００１０】
本発明は、連続用紙の規定領域内に画像を収める工夫がなされた画像形成装置を提供することを目的とする。
【課題を解決するための手段】
【００１１】
上記目的を達成するための本発明の画像形成装置は、
幅方向のミシン目によってページが区切られた連続用紙を搬送しながら、画像データに基づく画像を該連続用紙上に形成する画像形成装置において、
上記連続用紙の幅方向の画像形成領域を調整する領域調整手段と、
上記連続用紙の幅寸法を測定する幅寸法センサと、
上記連続用紙の相互に隣接するミシン目どうしの間の寸法を測定する長さ寸法センサと、
上記幅寸法センサにより測定された上記連続用紙の幅寸法と上記長さ寸法センサにより測定された該連続用紙の長さ寸法と上記調整手段により調整された幅方向の画像形成領域とに基づいて、該連続用紙の規定領域内に画像が形成されるように画像データを調整するデータ調整手段とを備えたことを特徴とする。
【００１２】
本発明の画像形成装置では、幅寸法センサにより検出された連続用紙の幅寸法と、長さ寸法センサにより検出された連続用紙の隣接するミシン目どうしの間の長さである長さ寸法と、さらには、幅方向についての画像形成領域の調整とに基づき、画像形成領域が、現在取り付けられている連続用紙の規定領域内に収まるように画像データの調整が行なわれる。したがって、本発明の画像形成装置によれば、領域調整手段により、取り付けられている連続用紙の規定領域を超えて画像形成領域が変更された場合、あるいは、取り付けられている連続用紙の幅寸法および長さ寸法が指定の連続用紙よりも短い場合でも、画像形成領域を、装置に取り付けられている連続用紙の規定領域内に収めることができる。
【００１３】
ここで、上記データ調整手段による調整前の画像データに基づく画像が上記連続用紙上の幅方向および長さ方向について規定領域内に形成されるか否かを判定する判定手段を備え、
上記データ調整手段は、上記判定手段による、上記データ調整手段による調整前の画像データに基づく上記連続用紙上の幅方向または長さ方向について規定領域内に画像が形成されない旨の判定結果を受けて該連続用紙の規定領域内に画像が形成されるように画像データを調整するものであることが好ましい。
【００１４】
このようにすると、ユーザの希望を画像形成に反映させることができる。
【００１５】
さらに、上記判定手段による、上記データ調整手段による調整前の画像データに基づく上記連続用紙上の幅方向または長さ方向について規定領域内に画像が形成されない旨の判定結果を受けて警告を出力する警告出力手段を備えたものであることも好ましい態様である。
【００１６】
このようにすると、例えば、領域調整を改めて行なったり、連続用紙を指定のものと交換することができるため、よりユーザの希望を画像形成に反映させやすくなる。
【発明の効果】
【００１７】
本発明の画像形成装置によれば、連続用紙の規定領域内に画像形成領域を収めることができる。
【発明を実施するための最良の形態】
【００１８】
以下、本発明の画像形成装置の実施形態について説明する。
【００１９】
図１は、本発明の画像形成装置の一実施形態の主要部の概略構成図である。
【００２０】
図１に示すプリンタ１は、幅方向のミシン目によってページが区切られた、搬送用のスプロケット孔が両端に設けられた連続用紙１００に印画を行うレーザプリンタである。
【００２１】
このプリンタ１は、詳しくは後述するが、図示しないパソコンなどから送信されてきた画像データを処理する画像データ処理部１１、ユーザが連続用紙上における印画領域の変更等を指示するタッチパネルを備えた操作部１３、連続用紙１００が取り付けられ、この連続用紙の紙送りを行なうトラクタ部１４、トラクタ部１４に取り付けられた連続用紙上に印画を行なう印画機構部１２、連続用紙上への印画を定着させる定着部１５、定着がなされた連続用紙を折りたたんでスタックするスタッカ部１６、および、これら各部を収容する、底部にストッパ１０ａが備えられた筐体１０で構成されている。
【００２２】
図１に示される印画機構部１２には、感光体１２２および現像器１２１が代表的に示されており、ここでは、図示しない帯電器により所定の電荷が付与された感光体上にレーザ光による露光によって静電潜像が形成され、この静電潜像が現像器１２１によってトナー現像される。その後、この感光体上に顕在化されたトナー像は、連続用紙上に印画される。トナー像が印画された連続用紙は、定着部１５に搬送されて定着が行なわれる。
【００２３】
図１に示す定着部１５には、定着器１５１および排出ローラ１５２が代表的に示されている。
【００２４】
操作部１３には、画像が形成される範囲である画像形成領域の位置を水平方向（用紙幅方向）へのスライド移動の指示、および、現在装置に取り付けられている連続用紙のページサイズを指定するためのタッチパネルが備えられている。
【００２５】
定着部１５における定着を終えた連続用紙１００は、排紙ガイド１６１を通過してスタック部１６にスタックされる。
【００２６】
スタック部１６には、排紙ガイド１６１を通過して送られてくる連続用紙のミシン目どうしの間の長さ寸法を測定する長さ寸法センサ１６２が備えられている。
【００２７】
図１に示すトラクタ部１４には、トラクタ部１４の入り口で連続用紙１００を支持する支持ローラ１４３、連続用紙の左右両端に設けられたスプロケット孔に嵌め込まれるスプロケットが備えられた循環ベルト１４２、循環ベルト１４２が所定のルートを循環するように設けられた張架ローラ１４２ａ、この循環ベルトを駆動する駆動ローラ１４４、および、循環ベルト１４２のスプロケットにスプロケット孔が嵌め込まれ位置決めがなされた連続用紙１００が循環ベルト１４２から外れないようにこの連続用紙１００を循環ベルト上の２カ所で、押さえる用紙押え１４１が代表的に示されている。
【００２８】
図２は、図１に示すトラクタ部を上面から見た場合の図である。
【００２９】
図２には、左右２つの用紙押え１４１および駆動ローラ１４４が示されている。
【００３０】
また、図２には、この駆動ローラ１４４の端部に備えられた受けギア１４４ａ、受けギア１４４ａに噛合するピニオンギア１４５ａ、このピニオンギア１４５ａが軸に取り付けられたモータ１４５、固定シャーシ１４７ａ、および可動シャーシ１４７ｂが示されており、図１に示す循環ベルト１４２は、モータ１４５からの回転駆動力を受けた駆動ローラ１４４の回転によって所定のルートを循環する。
【００３１】
さらに、図２には、左右２つの用紙押え１４１それぞれの、用紙搬送方向下流側に取り付けられたポテンションメータ１４８が示されている。このトラクタ部１４では、図２の左側に示される用紙押え１４１は筐体１０に固定された固定シャーシ１４７ａに取り付けられ、図２の右側に示される用紙押え１４１は、図２における左右方向に可動な可動シャーシ１４７ｂに取り付けられている。したがって、連続用紙の循環ベルト１４２への取り付けは、左右２つの用紙押えを図２の手前側に向けて起こし、その連続用紙の幅に応じて可動シャーシ１４７ｂを移動させて連続用紙のスプロケット孔を循環ベルト１４２に備えられたスプロケットに嵌め込み、左右２つの用紙押え１４１を図２に示す状態に戻して完了する。
【００３２】
したがって、ポテンションメータ１４８では、使用する連続用紙の幅寸法を検出することができる。
【００３３】
図３は、図１に示す画像データ処理部の内部構成図である。尚、この画像データ処理部は、主にマイコンで構成されている。
【００３４】
図３には、図１に示す画像データ処理部１１が、送信されてきた画像データを、指定の連続用紙のページサイズ（以下、これをデフォルト設定のページサイズと称する。）に応じて各ページに割り当てる画像データ割当手段１１２、タッチパネルからユーザによって入力された印画領域変更情報に応じて連続用紙上の印画領域を変更する領域調整手段１１１、連続用紙の幅寸法および長さ寸法等に基づいて現在取り付けられている連続用紙の規定領域に印画か可能か否かを判定する判定手段１１３、判定手段１１３における判定がなされ警告が必要な場合の警告表示情報を操作部１３に送る警告指示手段１１５、および、判定手段１１３における判定結果が印画が不可能とされた場合に、印画が可能となるように画像データの調整を行なう画像データ調整手段１１４で構成されていることが示されている。
【００３５】
また、図３には、領域調整手段１１１に与えられる印画領域変更情報および画像データ割当部に与えられるデフォルト設定のページサイズ以外のページサイズ情報が入力される操作部１３、判定手段１１３に、幅寸法情報を送信するポテンションメータ１４８と長さ寸法情報を送信する長さ寸法センサ１６２が示されている。
【００３６】
ここで、図３を主に参照しながら、このプリンタ１における画像形成動作について説明する。尚、以下でも、このプリンタ１では、指定の連続用紙に応じたページサイズ情報がデフォルト設定されているとして話を進める。
【００３７】
まず、デフォルト設定されているページサイズと同じページサイズの連続用紙がプリンタ１に取り付けられた状態で操作部１３から印画指示が出された場合について説明する。
【００３８】
この場合には、デフォルト設定のページサイズに合わせてページ毎に画像データが画像データ割当手段１１２において割り当てられ、ページ毎に割り当てられた画像データと、印画指示が出される前に操作部１３においてユーザにより印画領域変更情報が入力されていれば、領域調整手段からの、印画領域変更を指示する変更情報とが判定手段１１３に送られる。また、判定手段１１３には、ポテンションメータ１４８および長さ寸法センサ１６２から、取り付けられている連続用紙のページサイズ情報が送られてくる。
【００３９】
判定手段１１３では、送られてきたこれら情報に基づいて、現在取り付けられている連続用紙の規定領域内に、画像データ割当手段１１２においてページ毎に割り当てられている画像データを基とする画像が印画できるか否かの判定がなされる。判定手段１１３において、規定領域内に画像が収まると判定されると、直接、印刷機構部１２にページ毎に割り当てられた画像データが送られ印画が指示される。一方、判定手段１１３において、規定領域内に画像が収まらないと判定されると、警告指示手段１１５により警告表示の指示が出される。ここで、操作部１３から印画支持が出されると、画像データ調整手段１１４に、ページ毎に割り当てられている画像データが送られ、規定領域内に画像が収まるように画像データは処理され、画像が縮小されて印画される。
【００４０】
次に、幅寸法がデフォルト設定されているページサイズよりも狭い連続用紙がプリンタ１に誤って取り付けられている状態で印画指示が出された場合について説明する。
【００４１】
まず、ポテンションメータ１４８からの幅寸法情報により、デフォルト設定のページの幅寸法と取り付けられている連続用紙のページの幅寸法とが相違していると判定手段１１３において判定されると、相違内容に応じた警告表示情報が警告表示手段１１５から操作部１３に送られ、この情報に基づきタッチパネルには警告表示がなされる。ここで、取り付けられている連続用紙１００をデフォルト設定されているページサイズを有するものと交換しないまま操作部１３から印画指示が再び出されると、デフォルト設定のページサイズに基づいてページ毎に割り当てられた画像データの割り当てはそのままで、ユーザによる操作部１３からの印画領域変更情報が入力されていれば、この印画領域変更情報に応じた印画領域変更を指示する変更情報に基づき、デフォルト設定のページサイズとは異なるページサイズを有する連続用紙の規定領域内に画像が収まるか否かの判定がなされる。
【００４２】
判定手段１１３において、規定領域内に画像が収まると判定されると、直接、印刷機構部１２に、ページ毎に割り当てられた画像データが送られた後印画が行なわれる。一方、判定手段１１３において、規定領域内に画像が収まらないと判定されると、警告指示手段１１５から警告表示の指示が操作部１３に出され、画像を縮小し表示する旨が出される。ここで、操作部１３から印画指示が出されると、画像データ調整手段１１４に、ページ毎に割り当てられている画像データが送られ、規定領域内に画像が収まるように画像が処理された後画像が縮小されて印画される。
【００４３】
図４は、用紙の規定領域内に収まらない画像形成領域が、画像データ調整によって収まるようになされた様子を示す図である。
【００４４】
図４には、ページの幅寸法が、デフォルト設定されているぺージサイズの幅寸法よりも狭い連続用紙がプリンタ１に誤って取り付けられている場合についての画像データ調整、すなわち、画像形成領域の縮小処理の様子が示されている。ここでも、上述の場合と同様に、デフォルト設定されているページサイズを有する連続用紙に比べ幅寸法の狭い連続用紙が取り付けられ、警告にもかかわらず連続用紙を取り替えることなくそのまま印画指示が出された場合の話である。
【００４５】
点線Ａは、プリンタ１に取り付けられている連続用紙１００のミシン目を、細実線Ｂはこの連続用紙１００の規定領域を表している。また、一点鎖線Ｄは、デフォルト設定のページサイズに基づいてページ毎に設定された画像形成領域であり、幅寸法の狭い用紙を使用していることに加え、印画領域変更指示により規定領域を大幅に逸脱してしまっている様子が図４には示されている。太実線Ｃは、画像データ調整手段１１４により、規定領域内に画像形成領域が収まるように処理された後の画像形成領域を表している。
【００４６】
最後に、幅寸法が、デフォルト設定されているページサイズの幅寸法よりも狭く、かつ長さ寸法がデフォルト設定されているページサイズの長さ寸法よりも短い連続用紙がプリンタ１に誤って取り付けられた状態で操作部１３から印画指示が出された場合について説明する。
【００４７】
この場合には、まず、ポテンションメータ１４８からの幅寸法情報および長さ寸法センサ１６２からの長さ寸法情報により、デフォルト指定のページサイズと取り付けられている連続用紙のページサイズが異なることからこれに応じた警告表示情報が警告表示手段１１５から操作部１３に送られ、これらの情報に基づきタッチパネルには警告表示がなされる、ここで、取り付けられている連続用紙をデフォルト設定されているページサイズを有するものと交換しないまま操作部１３から印画指示が再び出されると、デフォルト設定のページサイズに基づいてページ毎に割り当てられた画像データの再割り当ては行なわれないまま、ユーザによって操作部１３から印画領域変更情報が入力されていれば、この印画領域変更情報に応じた印画領域変更を指示する変更情報に基づき、デフォルト設定のページサイズとは異なるページサイズを有する連続用紙の規定領域内に、画像が収まるか否かの判定がなされる。
【００４８】
判定手段１１３において、規定領域内に画像が収まると判定されると、直接、印刷機構部１２に、ページ毎に割り当てられた画像データが送られ印画が行なわれる。一方、判定手段１１３において、規定領域内に画像が収まらないと判定されると、警告指示手段１１５により警告表示の指示が出される。ここで、操作部１３から再び印字指示が出されると、データ調整手段１１４に、ページ毎に割り当てられている画像データが送られ、規定領域内に画像が収まるように画像が処理された後画像が縮小されて印画される。
【００４９】
図５は、用紙の規定領域内に収まらない画像形成領域が、画像データ調整によって収まるようにされた様子を示す図である。
【００５０】
図５には、デフォルト設定されているページサイズに比べ幅寸法および長さ寸法が共に短いページサイズの連続用紙がプリンタ１に誤って取り付けられている場合についての画像データ調整、すなわち、画像形成領域の縮小処理の様子が示されており、ここでも、上述した場合と同様に、デフォルト設定されているページサイズを有する連続用紙よりも幅が狭く長さも短いページサイズの連続用紙が取り付けられ、警告にもかかわらず連続用紙を取り替えることなくそのまま印画指示が出されている場合についての話である。
【００５１】
点線Ａ１は、プリンタ１に取り付けられている連続用紙のミシン目を、細実線Ｂ１はこの連続用紙の規定領域を表している。また、一点鎖線Ｄ１は、デフォルト設定のページサイズに基づいてページ毎に設定された画像形成領域であり、幅寸法が狭く長さ寸法が短い用紙を使用していることに加え、印画領域変更指示により規定領域を大幅に逸脱してしまっている様子が図５には示されている。太実線Ｃ１は、画像データ調整手段１１４により、規定領域内に画像形成領域が収まるように処理された後の画像形成領域を表している。
【００５２】
図６は、画像データの受信時に、図１および図３に示す画像データ処理部において起動されるルーチンのフローチャートである。
【００５３】
図６に示すステップＳ１およびステップＳ２において、ポテンションメータ１４８および長さ寸法センサ１６２による、現在プリンタ１に取り付けられている連続用紙のページサイズが検出される。その後、ステップＳ３に進み、プリンタ１にデフォルト設定されている、指定の連続用紙のページサイズと異なるページサイズの指定が操作部１３のタッチパネルにおいて行なわれたか否かが判定され、指定がなされたと判定されると、ステップＳ４に進み、その新たに指定されたページサイズでのページ毎の画像データの割り当てが行なわれ、ステップＳ６に進む。このプリンタ１では、デフォルト設定されているページサイズ以外のページサイズをユーザが操作部１３に備えられたタッチパネルを操作することで指定できるようになっており、これにより、デフォルト設定のページサイズではなくユーザに指定されたページサイズでの画像データの割り当てが行われる。
【００５４】
一方、ステップＳ３において、新たなページサイズの指定がなされていないと判定されると、ステップＳ５に進み、デフォルト設定のページサイズでのページ毎の画像データの割り当てが行なわれ、その後、ステップＳ６に進む。ステップＳ６では、印画指示と印刷中止とのうちいずれが選択されたかが判定される。ステップＳ６において、印画中止が選択されたと判定されるとステップＳ１に戻り、印画指示が選択されたと判定されると、ステップＳ７に進み、画像データの割り当ての基になっているページサイズと、現在取り付けられている連続用紙のページサイズとが同じか否かが判定される。ステップＳ７において、ページサイズが同じであると判定されると、ステップＳ８に進む。ステップＳ８では、現在取り付けられている連続用紙のページサイズと印画領域変更情報に応じた印画領域変更を指示する変更データとに基づき、現在、ページ毎に割り当てられている画像データを基とする画像が現在取り付けられている連続用紙の規定領域内に収まるか否かが判定される。ステップＳ８において収まると判定されると、ステップＳ９に進み、印画機構部１２に印画の指示が出される。
【００５５】
ここで、ステップＳ７において、画像データの割り当ての基になっているページサイズと取り付けられている連続用紙のページサイズとが異なっていると判定された場合に話を戻して説明する。  ステップＳ７において、ページサイズが相違していると判定されると、ステップＳ１０に進み、ページサイズが相違している旨の警告表示指示が操作部１３に対して行なわれる。その後、ステップＳ１１に進み、印画指示と印刷中止とのうちいずれが選択されたかが判定される。ステップＳ１１において、印画中止が選択されたと判定されるとステップＳ１に戻り、印画指示が選択されたと判定されると、ステップＳ８に進む。
【００５６】
ステップＳ８において、画像が規定領域に収まらないと判定されると、ステップＳ１２に進み、画像を縮小して印画する旨の表示指示が出された後、ステップＳ１３において、印画指示と印刷中止とのうちいずれが選択されたかが判定される。ステップＳ１３において、印画指示が選択されたと判定されると、画像が規定領域に収まるように画像データがステップＳ１４において処理され、その後、ステップＳ９に進む。一方、印画中止が選択されたと判定されると、ステップＳ６に戻る。
【００５７】
以上に説明したプリンタ１によれば、現在取り付けられている連続用紙のページの幅寸法と長さ寸法を検出してその連続用紙の規定領域を管理することで、ユーザにより規定領域を超える画像形成領域が指定されたり、また、デフォルト設定されているページサイズとは異なるページサイズの連続用紙が取り付けられている場合でも、画像形成が、取り付けられている連続用紙の規定領域外で行われることを防止できる。
【００５８】
尚、上記実施形態では、画像が、取り付けられている連続用紙の規定領域内に収まらない場合、および、デフォルト設定のページサイズと異なるページサイズの連続用紙が取り付けられている場合に警告を表示する場合を例に挙げて説明したが、本発明はこれに限るものではなく、取り付けられている連続用紙の規定領域内に画像が印画されればこれら警告を行なわないものであってもよい。
【図面の簡単な説明】
【００５９】
【図１】本発明の画像形成装置の一実施形態の主要部の概略構成図である。
【図２】図１に示すトラクタ部の上面から見た場合の図である。
【図３】図１に示す画像データ処理部の内部構成図である。
【図４】用紙の規定領域内に収まらない画像形成領域が、画像データ調整によって収まるようにされた様子を示す図である。
【図５】用紙の規定領域内に収まらない画像形成領域が、画像データ調整によって収まるようにされた様子を示す図である。
【図６】画像データの受信時に、図１および図３に示す画像データ処理部において起動されるルーチンのフローチャートである。
【符号の説明】
【００６０】
１  プリンタ
１０  筐体
１０ａ  ストッパ
１１  画像データ処理部
１１１  領域調整手段
１１２  画像データ割当手段
１１３  判定手段
１１４  データ調整手段
１１５  警告指示手段
１２  印画機構部
１２１  現像器
１２２  感光体
１３  操作部
１４  トラクタ部
１４１  用紙押え
１４２  循環ベルト
１４２ａ  張架ローラ
１４３  支持ローラ
１４４  駆動ローラ１
１４４ａ  受けギア
１４５  モータ
１４５ａ  ピニオンギア
１４７ａ  固定シャーシ
１４７ｂ  可動シャーシ
１４８  ポテンションメータ
１５  定着部
１５１  定着器
１５２  排出ローラ
１６  スタック部
１６１  排紙ガイド
１６２  長さ寸法センサ
【図１】
2005111672.tif 000003
【図２】
2005111672.tif 000004
【図３】
2005111672.tif 000005
【図４】
2005111672.tif 000006
【図５】
2005111672.tif 000007
【図６】
2005111672.tif 000008